(57)【要約】【課題】外部接続用ケーブルが分離できる構成になったＡＣアダプタにおいて  ケーブルを取り外した不使用時に外部接続用コネクタからの異物の侵入を容易に防ぐ構成を備えたＡＣアダプタを提供する。【解決手段】ＡＣプラグ部が回動するＡＣアダプタにおいて  不使用時にＡＣプラグ部を収納するための凹部を備え、かつ凹部に面するように外部接続用コネクタの挿入口を配置することでＡＣプラグ部により、外部接続用コネクタの挿入口を覆うことにより、外部接続用コネクタへの異物の侵入を防止することができる。【選択図】図１
2011204428.tif 000002
【特許請求の範囲】
【請求項１】
外部接続用のケーブルを挿入するコネクタの挿入口を備えたＡＣアダプタ筐体と、
コンセントに嵌合させる刃を持ち、前記刃をＡＣアダプタ筐体から突出しない収納状態へ可動させることのできるＡＣプラグ部とを備え、
前記外部接続用のコネクタの挿入口は、前記ＡＣプラグ部を収納状態とした場合に前記ＡＣプラグ部の少なくとも一部によって覆われる位置に配置されている
ＡＣアダプタ。
【請求項２】
前記コネクタの挿入口の少なくとも一部は、前記収納状態において、前記ＡＣプラグ部の刃によって覆われる
請求項１記載のＡＣアダプタ。
【請求項３】
前記ＡＣアダプタ筐体は、前記収納状態において前記ＡＣプラグ部の刃を収納する凹部を備え、前記コネクタの挿入口は、前記凹部に配置されている
請求項１記載のＡＣアダプタ。
【請求項４】
前記ＡＣプラグ部と前記ＡＣアダプタ筐体とは、前記ＡＣプラグ部の刃を前記ＡＣアダプタ筐体から突出させ前記コンセントに嵌合させた場合に、前記ＡＣプラグ部と前記筐体とを壁面とし、かつ、前記コンセントに対向する面を持つ凹部を形成し、
前記コネクタの挿入口は、前記凹部に配置されている
請求項１記載のＡＣアダプタ。
【請求項５】
前記ＡＣプラグ部と前記ＡＣアダプタ筐体とは、前記ＡＣプラグ部の刃を前記ＡＣアダプタ筐体から突出させた場合に、前記ＡＣプラグ部と前記筐体とを壁面とする凹部を形成し、
前記凹部は、前記外部接続用のケーブルを前記挿入口へ挿入した場合に、前記ケーブルの保持部を収納する
請求項１記載のＡＣアダプタ。
【請求項６】
前記凹部は、前記外部接続用のケーブルの保持部と嵌合する形状である
請求項５記載のＡＣアダプタ。
【発明の詳細な説明】
【技術分野】
【０００１】
本発明は、外部接続可能なコネクタを搭載したＡＣアダプタに関するものである。
【背景技術】
【０００２】
デジタルカメラや携帯電話などの携帯端末機器に繰り返し充電可能な電池を搭載し、充電された電池から携帯端末機器に電源を随時供給することで、使用者の利便性が図られていることは一般的に知られている。
【０００３】
その充電のためには、一般に携帯端末機器に備えられた外部接続用コネクタと、壁などに設けられたコンセントとを所定のＡＣアダプタを介して接続する。すなわち、ＡＣアダプタに備え付けられたケーブル先端のプラグ部をコンセントと嵌合させることにより、壁などに設けられた商用電源から携帯端末機器の充電に必要な電源を携帯端末機器に供給している。
【０００４】
ところで、近年、ＡＣアダプタにおいてケーブル部分を分離可能とすることで、そのケーブル部分を用いて他の機器とのデータの送受信を可能にする技術が提案されている。これにより、ケーブルはＡＣアダプタに用いれば充電、パソコン等と接続すればデータの送受信をすることができるようになっている。
【０００５】
また、ＡＣアダプタはその使用目的のために携帯性も求められている。ＡＣアダプタを携帯する方法としては、例えば、ＡＣアダプタをカバン等に入れることが考えられる。この場合、ＡＣアダプタ外部にＡＣプラグ部の刃が露出したままでは、カバンに同梱されている携帯電話などの機器をＡＣプラグ部の刃で傷つけてしまう問題があった。そのため、従来から、ＡＣプラグ部の刃の部分をＡＣアダプタ筐体に設けられた凹部に収納し、刃がＡＣアダプタ筐体端面から突出しないように構成したＡＣアダプタが提案されている（例えば、特許文献１）。
【０００６】
従来から提案されているＡＣアダプタの一例を図７に示す。ＡＣアダプタは壁などに設けられたコンセントに接続することで商用電源をとるためのＡＣプラグ部と基板を搭載したＡＣアダプタ筐体と、コネクタ部と接続が可能なコネクタプラグを有したケーブルによる構成となっている。
【０００７】
また、図８に示すように、ＡＣアダプタはその使用時にＡＣプラグ部を、その用途に合わせた角度に変えることが可能である。この角度としては、例えば、９０度あるいは１８０度が一般的である。これによりコンセントの位置が机などの平面部に配置されている場合も、壁などの垂直面に配置されている場合も、ＡＣプラグ部をコンセントへ挿しやすい構成になっている。
【０００８】
また、不使用時には、そのＡＣプラグ部の刃をＡＣアダプタ筐体に設けられた凹部に収納することにより、ＡＣプラグ部の刃が筐体端面から突出しない構成としている（図８における角度０度の例に相当）。これによりＡＣアダプタを携帯する時に、他の電子機器とカバン等に同梱した場合でも、ＡＣプラグ部によって他のものが傷つけられにくい構成になっている。
【先行技術文献】
【特許文献】
【０００９】
【特許文献１】特開平３−１４７２８３号公報
【発明の概要】
【発明が解決しようとする課題】
【００１０】
しかしながら、従来の構造では、不使用時にＡＣアダプタ筐体からケーブル部分だけを取り外した場合、コネクタ部が露出してしまい、外部からの異物等が入りやすい。そのため、コネクタ部に異物等が入った状態でケーブルを接続し、ＡＣアダプタをコンセントにさしてしまうとショートする懸念があった。
【００１１】
本発明は、従来の問題を解決するためのもので、ＡＣアダプタの不使用時に外部接続用コネクタ（上述のコネクタ部に相当）からケーブルが取り外されても異物等の侵入を防ぐことができ、かつＡＣアダプタを使用する場合に挿入口を開放することができる構成を提供する。
【課題を解決するための手段】
【００１２】
本発明に係るＡＣアダプタは、外部接続用のケーブルを挿入するコネクタの挿入口を備えたＡＣアダプタ筐体と、コンセントに嵌合させる刃を持ち、前記刃をＡＣアダプタ筐体から突出しない収納状態へ可動させることのできるＡＣプラグ部とを備え、前記外部接続用のコネクタの挿入口は、前記ＡＣプラグ部を収納状態とした場合に前記ＡＣプラグ部の少なくとも一部によって覆われる位置に配置されている。
【発明の効果】
【００１３】
上記の構成により、本発明に係るＡＣアダプタは、プラグ部を収納状態にした場合に、プラグ部の少なくとも一部が外部接続用のコネクタの挿入口を覆うため、不使用時における外部からの異物等の侵入を容易に防ぐことができる。
【図面の簡単な説明】
【００１４】
【図１】本発明の実施例１のＡＣアダプタのＡＣプラグの刃の部分を収納した状態を示す斜視図
【図２】（ａ）本発明の実施例１のＡＣアダプタのＡＣプラグの刃の部分を９０度起立した状態を示す斜視図（ｂ）本発明の実施例のＡＣアダプタのＡＣプラグの刃の部分を１８０度起立した状態を示す斜視図
【図３】本発明の実施例１のＡＣアダプタ筐体からＡＣプラグ部だけを取り外した場合の斜視図
【図４】本発明の実施例１のＡＣアダプタから外部接続用プラグを取り除いた状態でコンセントに取り付けられた時の異物の侵入が困難なことをあらわす斜視図
【図５】本発明の実施例１のＡＣアダプタに外部接続用プラグを用いて嵌合させたケーブルを取り付けた状態を示す斜視図
【図６】（ａ）本発明の実施例２のＡＣアダプタのＡＣプラグ部を９０度回転させた状態を示す斜視図（ｂ）本発明の実施例２のＡＣアダプタのＡＣプラグ部を収納状態にさせた状態を示す斜視図
【図７】従来のＡＣアダプタの構成図
【図８】（ａ）従来のＡＣアダプタ筐体のＡＣプラグの刃の部分を９０度起立した状態を示す斜視図（ｂ）従来のＡＣアダプタ筐体のＡＣプラグの刃の部分を１８０度起立した状態を示す斜視図（ｃ）従来のＡＣアダプタ筐体のＡＣプラグの刃の部分を０度起立した状態を示す斜視図
【図９】従来のＡＣアダプタから外部接続用ケーブルを取り除いた不使用状態において異物の侵入が容易なことを表す斜視図
【図１０】従来のＡＣアダプタに設けられたコネクタに外部接続用プラグを用いて接続させた時の斜視図
【図１１】本発明の変形例に係るＡＣアダプタの図
【図１２】本発明の変形例に係るＡＣアダプタの図
【発明を実施するための形態】
【００１５】
本発明の第１の態様に係るＡＣアダプタは、外部接続用のケーブルを挿入するコネクタの挿入口を備えたＡＣアダプタ筐体と、コンセントに嵌合させる刃を持ち、前記刃をＡＣアダプタ筐体から突出しない収納状態へ可動させることのできるＡＣプラグ部とを備え、前記外部接続用のコネクタの挿入口は、前記ＡＣプラグ部を収納状態とした場合に前記ＡＣプラグ部の少なくとも一部によって覆われる位置に配置されている構成を採る。
【００１６】
本発明の第２の態様に係るＡＣアダプタは、前記コネクタの挿入口の少なくとも一部は、前記収納状態において、前記ＡＣプラグ部の刃によって覆われる構成を採る。
【００１７】
これにより、不使用時における外部からの異物等の侵入を容易に防ぐことができる。
【００１８】
本発明の第３の態様に係るＡＣアダプタは、前記ＡＣアダプタ筐体は、前記収納状態において前記ＡＣプラグ部の刃を収納する凹部を備え、前記コネクタの挿入口は、前記凹部に配置されている構成を採る。
【００１９】
これにより、ＡＣプラグ部の刃を収納することで確実にコネクタの挿入口を覆うことができる。
【００２０】
本発明の第４の態様に係るＡＣアダプタは、前記ＡＣプラグ部と前記ＡＣアダプタ筐体とは、前記ＡＣプラグ部の刃を前記ＡＣアダプタ筐体から突出させ前記コンセントに嵌合させた場合に、前記ＡＣプラグ部と前記筐体とを壁面とし、かつ、前記コンセントに対向する面を持つ凹部を形成し、前記コネクタの挿入口は、前記凹部に配置されている構成を採る。
【００２１】
これにより、ＡＣアダプタの刃をコンセントに嵌合させている状態で、コネクタの挿入口の周囲が覆われるので、ＡＣアダプタの使用中において外部接続用のケーブルが抜かれている場合であっても、外部からの異物の侵入を防ぐことができる。
【００２２】
本発明の第５の態様に係るＡＣアダプタは、前記ＡＣプラグ部と前記ＡＣアダプタ筐体とは、前記ＡＣプラグ部の刃を前記ＡＣアダプタ筐体から突出させた場合に、前記ＡＣプラグ部と前記筐体とを壁面とする凹部を形成し、前記凹部は、前記外部接続用のケーブルを前記挿入口へ挿入した場合に、前記ケーブルの保持部を収納する構成を採る。
【００２３】
これにより、ケーブルが挿入口に挿入されている状態において、ケーブルに外力が加わった場合であっても、ケーブルをこじる力を凹部に分散することができるので、ケーブルおよび挿入口の破損を防止することができる。
【００２４】
本発明の第６の態様にかかるＡＣアダプタは、前記凹部は、前記外部接続用のケーブルの保持部と嵌合する形状である構成を採る。
【００２５】
これにより、ケーブルが挿入口に挿入されている状態において、ケーブルの位置を規制することができるので、ケーブルに外力が加わった場合であっても、ケーブルおよび挿入口の破損を防止することができる。
【００２６】
以下、上述した本発明の実施の形態を説明する。
【００２７】
（実施例１）
以下、本発明の実施形態のＡＣアダプタの構成について、実施例１を用いて説明する。
【００２８】
図１は実施例１のＡＣアダプタ１のＡＣプラグ部２を収納した状態（不使用時の状態）での斜視図、図２（ａ）はＡＣプラグ部２を９０度回転させて起立させた斜視図である。ここで、図中で、濃いグレーで塗りつぶしている部分およびＡＣプラグ部の刃３を含む部分が、ＡＣプラグ部２に該当する。また、図２（ｂ）はＡＣプラグ部２を１８０度回転させた斜視図である。図３はＡＣプラグ部２のみを取り外した分解斜視図である。図３より、本実施形態に係るＡＣアダプタ１では、ＡＣプラグ部２に設けられた回転軸がＡＣプラグ部の刃３を幅面に対して垂直に貫通する方向で配置され、ＡＣアダプタ筐体４に設けられた取り付け孔に挿し込まれることで、ＡＣプラグ部２はＡＣアダプタ筐体４に対して回動可能となっていることが分かる。なお、特に断らない限り、ＡＣアダプタ１の各構成要素の符号は全ての図面で同じである。そのため、図面の理解を容易にするため、各図面では一部の符号の記載を省略している。
【００２９】
図１および図２に示すように、本実施形態に係るＡＣアダプタ１では、ＡＣプラグ部２が回動することによりＡＣプラグ部の刃３の部分をＡＣアダプタ筐体４に収納可能な構造にしている。なお、以下では、ＡＣプラグ部の刃３をＡＣアダプタ筐体４の端面から突出しないようにした状態をＡＣプラグ部の収納状態と呼ぶ。また、ＡＣプラグ部の刃３をＡＣアダプタ筐体４の端面から突出させた状態をＡＣプラグ部の使用状態と呼ぶ。
【００３０】
本実施の形態では、図１に示すように、ＡＣアダプタ筐体４に設けられた外部接続用コネクタ７の挿入口７ａは、ＡＣプラグ部の刃３で覆われる。すなわち、本実施の形態のＡＣアダプタ１は、ＡＣプラグ部２が収納状態にある場合に、ＡＣプラグ部２の少なくとも一部（図１および２では、ＡＣプラグ部の刃３）によって覆われる位置に、外部接続用コネクタの挿入口５ａが配置されるよう構成されている。これにより、外部接続用ケーブル５が取り外された状態でも、ＡＣプラグ部２を収納状態とすることで、外部からの異物等６の侵入を防ぐことが可能となる。
【００３１】
これにより、不使用時に外部接続用コネクタ７から侵入した異物６等による端子間の接続でのショートの現象を防ぐことができる。
【００３２】
また、本実施の形態のＡＣアダプタ１は、図４に示すようにＡＣプラグ部の刃３が壁などに設けられたコンセントに挿し込まれた場合に、外部接続用コネクタ７がＡＣアダプタ筐体４と壁との間に形成される空間に配置されるよう構成されている。すなわち、本実施の形態のＡＣアダプタ１では、外部接続用コネクタ７は、壁などに設けられたコンセントとＡＣアダプタ筐体４によって囲まれた凹部に配置される。これにより、空気中に浮遊したゴミなどの異物等６が外部接続用コネクタ７に侵入しようとしても、ＡＣアダプタ筐体４外装部分とコンセントにより異物等６の侵入口が狭められる。したがって、異物等６が内部に配置された外部接続用コネクタ７に侵入することは困難であり、異物の侵入に起因する電気的不具合も起こりにくくなる。
【００３３】
また、従来のＡＣアダプタでは、外部接続用コネクタが破損し易いという問題があった。これは、コンセントに接続されている状態のＡＣアダプタは概ね固定された状態になるのに対し、ＡＣアダプタ筐体に接続されているケーブル部分は外部接続用コネクタと勘合している部分のみで固定されていることに起因する。このような状態でケーブル部分に外力が加わった場合、その力は外部接続用コネクタと勘合しているケーブルのプラグ部分に集中する（図１０）。そして、外部接続コネクタに対して、こじるような力が発生するためにＡＣアダプタ（もしくはケーブルのプラグ）の破損につながってしまう。
【００３４】
そこで、本実施の形態のＡＣアダプタでは、外部接続用コネクタ７をＡＣプラグ部の刃３の部分が収納される凹部８に合わせて配置し、外部接続用ケーブル５のモールド部分５ａ（外部接続用ケーブルの保持部）も同じ凹部８に配置している。これにより、外部接続用ケーブル５に力が加わったときにＡＣアダプタ筐体４に設けられた外部接続用コネクタ７に加わる力を緩和することができる。すなわち、本実施の形態のＡＣアダプタ１では、外部接続用ケーブル５に設けられたプラグ５ｂのモールド部５ａの位置が、ＡＣプラグ部の刃３の部分が収納される凹部８を利用して規制される。すなわち、本実施の形態のＡＣアダプタ１では、外部接続用ケーブル５に設けられたプラグ５ｂのモールド部５ａの形状が、使用状態にあるＡＣプラグ部２とＡＣプラグ筐体４とによって囲まれる凹部の形状と勘合するように構成されており、その凹部に外部接続用コネクタ７を設けている。これにより、外部接続用ケーブル５に加えられた外力はモールド部分５ａにて吸収され、外部接続用コネクタ７に加わる力が緩和される。これによって、ＡＣアダプタ筐体４に設けられた外部接続用コネクタ７等の破損を防止することができる。また、この構成の実現には、外形形状等の大型化は不要であるため、安価な構成で外部接続用コネクタ７等の破損を防止できる。
【００３５】
なお、上記の実施形態では、凹部の形状と外部接続用ケーブル５のモールド部５ａとの形状とが勘合する例を示したが、それに限られるものではない。例えば、モールド部５ａの一部のみが凹部の形状と勘合する場合や、モールド部５ｂの長手方向の長さが凹部の長手方向の長さよりも短いために凹部の形状と完全には勘合しない場合であっても、従来技術と比べて外部接続用コネクタ７に加わる力は緩和される。すなわち、プラグ５ａを外部接続用コネクタ７に接続した状態で、モールド部５ｂの少なくとも一部が凹部と勘合する構成であれば上述した構成と異なる構成であってもよい。
【００３６】
なお、上記の実施例１では、ＡＣアダプタに設けられた外部接続用コネクタ７をＡＣプラグ部の刃３を用いて異物等の侵入を防止していたが、これに限定されるものでない。例えば、ＡＣプラグ部の回転方向やＡＣプラグの刃に連動して動く一体部品および別部品でもよく適宜な変形，改良等によって実現可能である。
【００３７】
以下、収納状態にあるＡＣプラグ部、もしくは、その一部であるＡＣプラグ部の刃によって、外部接続コネクタ７への異物等の侵入を防止することのできるＡＣアダプタの他の構成を説明する。
【００３８】
（実施例２）
続いて、実施例２として本発明の別の実施の形態を説明する。
【００３９】
実施例２に係るＡＣアダプタの構成として図６を示す。使用している部品については実施例１と同じ構成である。ただし、本実施例２では、実施例１とはＡＣプラグ部の回転方向が異なる。実施例２に係るＡＣアダプタは、実施例１で示したようなＡＣプラグ部の刃の幅面に対して垂直方向に構成された回転軸を中心にして回転させる構成とは異なり、図６で示したようにＡＣプラグの刃の幅面に対して平行に回転軸が配置されている。この場合でもＡＣプラグ部の刃の上面に対して垂直方向に構成された回転軸を中心に回転させることにより、外部接続用コネクタの挿入口をＡＣプラグ部で隠すことができる。同様な効果を実現できる。
【００４０】
（その他変形例）
上述した実施例１および実施例２では、ＡＣプラグ部の刃を用いて外部接続用コネクタの挿入口を隠していたが、これに限られるものではない。例えば、図１１や図１２などのように、ＡＣプラグ部が収納状態にある場合に、ＡＣプラグ部の刃以外の部分が挿入口を覆う構成としても良い。すなわち、本発明に係るＡＣアダプタは、ＡＣプラグ部が収納状態にある場合に、ＡＣプラグ部の少なくとも一部によって、挿入口が覆われる構成であればよい。
【産業上の利用可能性】
【００４１】
本発明は、電子機器にて用いられるＡＣアダプタの分野で有用である。
【符号の説明】
【００４２】
１    ＡＣアダプタ
２    ＡＣプラグ部
３    ＡＣプラグ部の刃
４    ＡＣアダプタ筐体
５    外部接続用ケーブル
５ａ    外部接続用ケーブルのプラグ
５ｂ    外部接続用ケーブルのモールド部分
６    異物等
７    外部接続用コネクタ
【図１】
2011204428.tif 000003
【図２】
2011204428.tif 000004
【図３】
2011204428.tif 000005
【図４】
2011204428.tif 000006
【図５】
2011204428.tif 000007
【図６】
2011204428.tif 000008
【図７】
2011204428.tif 000009
【図８】
2011204428.tif 000010
【図９】
2011204428.tif 000011
【図１０】
2011204428.tif 000012
【図１１】
2011204428.tif 000013
【図１２】
2011204428.tif 000014